(57)【要約】【課題】任意の特色を出力する場合であっても、操作者が、その特色に対応するカラーコレクションの設定を行うことなく、その任意の特色に対応した画像の出力を行うことができる画像出力システムを提供する。【解決手段】制御装置３Ａは、カラーコレクション記憶手段Ｂに所定のカラーコレクションを記憶していると共に、予め、濃度テーブル記憶手段Ｃに基本色の組み合わせ及び複数の任意の特色に関する濃度テーブルを記憶している。そして、比較判定手段Ａにより画像データ編集端末１Ａ〜１Ｃ及びＲＩＰ２から受信した画像データに、カラーコレクションに設定されていない特色が含まれていた場合であっても、濃度テーブル記憶手段Ｃに記憶された基本色の組み合わせ及び任意の特色に関する濃度テーブルを用いて、その特色に対応するカラーコレクションを作成して、そのカラーコレクションに基づいた画像データの出力処理を行う。【選択図】  図１
2004173188.tif 000002
【特許請求の範囲】
【請求項１】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせと、それらの組み合わせに対応する出力制御値とを関連付けた第１のテーブル、及び複数の特色に関する色情報と、それらに対応する出力制御値とを関連付けた第２のテーブルを記憶する記憶手段と、
前記受信した画像データを構成する特色に関する色情報と、前記第２のテーブルを構成する特色の色情報とを比較して、それらの一致／不一致を判定する比較判定手段と、
前記比較判定手段において、一致するものがあった場合に、前記第２のテーブルの該当する特色に関する出力制御値と、前記第１のテーブルにおける基本色の組み合わせに対応する出力制御値とを用いて、
また、一致するものがなかった場合に、前記第２のテーブルの複数の特色に関する出力制御値を用いて、前記受信した画像データを構成する特色に対応する出力制御値を算出して、前記算出された出力制御値と、前記第１のテーブルにおける基本色の組み合わせに対応する出力制御値とを用いて、
前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項２】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせと、それらの組み合わせに対応する出力制御値とを関連付けた第１のテーブル、及び複数の特色に関する色情報と、それらに対応する出力制御値とを関連付けた第２のテーブルを記憶する記憶手段と、
前記受信した画像データを構成する特色に関する色情報と、前記第２のテーブルを構成する特色の色情報とを比較して、それらの一致／不一致を判定する比較判定手段と、
前記比較判定手段において、一致するものがあった場合に、前記第２のテーブルの該当する特色に関する出力制御値と、前記第１のテーブルにおける基本色の組み合わせに対応する出力制御値とを用いて、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信すると共に、
前記比較判定手段において、一致するものがなかった場合に、前記受信した画像データに前記画像出力装置の露光条件に関する出力制御情報を付加して前記画像出力装置へ送信する処理を中止する出力装置制御手段と、を備えたことを特徴とする画像出力システム。
【請求項３】
前記記憶手段は、さらに、画像データを構成する複数の特色の組み合わせと、それらの組み合わせに対応する出力制御値とを関連付けた第３のテーブルを記憶し、
前記比較判定手段は、前記受信した画像データを構成する特色の組み合わせと、前記第３のテーブルを構成する特色の組み合わせとを比較した上で、一致したものを除いて、さらに、前記受信した画像データを構成する特色に関する色情報と、前記第２のテーブルを構成する特色の色情報とを比較して、
前記出力制御値算出手段は、前記比較判定手段において、前記受信した画像データを構成する特色の組み合わせと、前記第３のテーブルを構成する特色の組み合わせとに一致するものがあった場合に、前記第３のテーブルの該当する特色の組み合わせに関する出力制御値と、前記第１のテーブルにおける基本色の組み合わせに対応する出力制御値とを用いて、前記受信した画像データを構成する基本色及び特色の組み合わせと、それらの組み合わせに対応する出力制御値とを関連付けた出力制御テーブルを作成して、
前記出力装置制御手段は、前記出力制御テーブルに関する情報を、前記出力制御情報として前記受信した画像データに付加することを特徴とする請求項１又は請求項２に記載の画像出力システム。
【請求項４】
前記記憶手段は、さらに、画像データを構成する基本色及び少なくとも１つの特色の組み合わせの一部と、それらの組み合わせに対応する出力制御値とを関連付けた第４のテーブルを記憶し、
前記比較判定手段は、前記受信した画像データを構成する基本色及び特色の組み合わせと、前記第４のテーブルを構成する基本色及び少なくとも１つの特色の組み合わせとを比較した上で、一致したものを除いて、さらに、前記受信した画像データを構成する特色に関する色情報と、前記第２のテーブルを構成する特色の色情報とを比較して、
前記出力制御値算出手段は、前記比較判定手段において、前記受信した画像データを構成する基本色及び特色の組み合わせと、前記第４のテーブルを構成する基本色及び少なくとも１つの特色の組み合わせとに一致するものがあった場合に、前記第４のテーブルの該当する基本色及び少なくとも１つの特色の組み合わせに関する出力制御値を用いて、前記受信した画像データを構成する基本色及び特色の組み合わせと、それらの組み合わせに対応する出力制御値とを関連付けた出力制御テーブルを作成して、
前記出力装置制御手段は、前記出力制御テーブルに関する情報を、前記出力制御情報として前記受信した画像データに付加することを特徴とする請求項１又は請求項２に記載の画像出力システム。
【請求項５】
前記記憶手段は、さらに、画像データを構成する基本色及び少なくとも１つの特色の組み合わせと、それらの組み合わせに対応する出力制御値とを関連付けた出力制御テーブルを記憶し、
前記比較判定手段は、前記受信した画像データを構成する基本色及び特色の組み合わせと、前記出力制御テーブルを構成する基本色及び少なくとも１つの特色の組み合わせとを比較した上で、一致したものを除いて、さらに、前記受信した画像データを構成する特色に関する色情報と、前記第２のテーブルを構成する特色の色情報とを比較して、
前記出力装置制御手段は、前記比較判定手段による判定において、前記受信した画像データを構成する基本色及び特色の組み合わせと、前記出力制御テーブルを構成する基本色及び少なくとも１つの特色の組み合わせとに一致するものがあった場合に、該当する前記出力制御テーブルに関する情報を、前記出力制御情報として前記受信した画像データに付加することを特徴とする請求項１又は請求項２に記載の画像出力システム。
【請求項６】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせと、それらの組み合わせに対応する出力制御値とを関連付けた第１のテーブルを記憶する第１の記憶手段と、
画像データを構成する少なくとも１つの特色に関する色情報と、その特色に対応する出力制御値とを関連付けた第２のテーブルを記憶する第２の記憶手段と、前記受信した画像データを構成する特色に関する色情報と、前記第２のテーブルを構成する特色の色情報とを比較して、それらの一致／不一致を判定する比較判定手段と、
前記比較判定手段の判定において、一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項７】
前記比較判定手段の判定において、一致するものがなかった場合に、前記出力制御値算出手段は、前記出力制御テーブルを作成せずに、前記出力装置制御手段は、前記受信した画像データに前記画像出力装置の露光条件に関する出力制御情報を付加して前記画像出力装置へ送信する処理を中止することを特徴とする請求項６に記載の画像出力システム。
【請求項８】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせに関する色情報と、それらの組み合わせに対応する出力制御値とを関連付けた第１のテーブルを記憶する第１の記憶手段と、
画像データを構成する少なくとも１つの特色に関する色情報と、その特色に対応する出力制御値とを関連付けた第２のテーブルを記憶する第２の記憶手段と、前記受信した画像データを構成する特色に関する色情報と、前記第２のテーブルを構成する特色の色情報とを比較して、それらの一致／不一致を判定する比較判定手段と、
前記比較判定手段の判定において、一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項９】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせと、それらの組み合わせに対応する出力制御値とを関連付けた第１のテーブルを記憶する第１の記憶手段と、
画像データを構成する少なくとも１つの特色に関する色情報と、その特色に対応する出力制御値とを関連付けた第２のテーブルを記憶する第２の記憶手段と、画像データを構成する複数の特色の組み合わせと、それらの組み合わせに対応する出力制御値とを関連付けた第３のテーブルを記憶する第３の記憶手段と、
前記受信した画像データを構成する特色の組み合わせと、前記第３のテーブルを構成する複数の特色の組み合わせとを比較して、それらの一致／不一致を判定した上で、一致したものを除いて、さらに、前記受信した画像データを構成する特色に関する色情報と、前記第２のテーブルを構成する特色の色情報とを比較して、それらの一致／不一致を判定する比較判定手段と、
前記比較判定手段の判定において、前記受信した画像データを構成する特色の組み合わせと、前記第３のテーブルを構成する複数の特色の組み合わせとに一致するものがあった場合に、該当する特色の前記第３のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御値算出手段により作成された出力制御テーブルに関する情報を、前記出力制御情報として前記受信した画像データに付加して、前記画像出力装置へ送信する出力装置制御手段と、を備えたことを特徴とする画像出力システム。
【請求項１０】
前記出力制御値算出手段は、前記比較判定手段の判定において、前記受信した画像データを構成する特色に関する色情報と、前記第２のテーブルを構成する特色に関する色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする請求項９に記載の画像出力システム。
【請求項１１】
前記出力制御値算出手段は、前記比較判定手段の判定において、前記受信した画像データを構成する特色に関する色情報と、前記第２のテーブルを構成する特色に関する色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする請求項９に記載の画像出力システム。
【請求項１２】
前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする請求項９に記載の画像出力システム。
【請求項１３】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色の組み合わせに関する色情報と、それらの組み合わせに対応する出力制御値とを関連付けた第１のテーブルを記憶する第１の記憶手段と、
画像データを構成する少なくとも１つの特色に関する色情報と、その特色に対応する出力制御値とを関連付けた第２のテーブルを記憶する第２の記憶手段と、画像データを構成する基本色及び少なくとも１つの特色の組み合わせの一部と、それらの組み合わせに対応する出力制御値とを関連付けた第４のテーブルを少なくとも１つ記憶する第４の記憶手段と、
前記受信した画像データを構成する基本色及び特色の組み合わせと、前記第４のテーブルを構成する基本色及び少なくとも１つの特色の組み合わせとを比較して、それらの一致／不一致を判定した上で、一致したものを除いて、さらに、前記受信した画像データを構成する特色に関する色情報と、前記第２のテーブルを構成する特色の色情報とを比較して、それらの一致／不一致を判定する比較判定手段と、
前記比較判定手段の判定において、前記受信した画像データを構成する特色に関する色情報と、前記第２のテーブルを構成する特色の色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記第４のテーブルを構成する基本色及び少なくとも１つの特色の組み合わせとに一致するものがあった場合に、該当する前記第４のテーブルに関する情報を、前記出力制御情報として前記受信した画像データに付加して、
また、前記比較判定手段による判定において、前記受信した画像データを構成する基本色及び特色の組み合わせと、前記出力制御テーブルを構成する基本色及び少なくとも１つの特色の組み合わせとに一致するものがなかったものに関しては、前記出力制御値算出手段により作成された出力制御テーブルを、前記出力制御情報として前記受信した画像データに付加して、
前記画像出力装置へ送信する出力装置制御手段と、を備えたことを特徴とする画像出力システム。
【請求項１４】
前記出力制御値算出手段は、前記比較判定手段の判定において、前記受信した画像データを構成する特色に関する色情報と、前記第２のテーブルを構成する特色の色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする請求項１３に記載の画像出力システム。
【請求項１５】
前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする請求項１３に記載の画像出力システム。
【請求項１６】
画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び少なくとも１つの特色の組み合わせと、それらの組み合わせに対応する出力制御値とを関連付けた出力制御テーブルを少なくとも１つ記憶する出力制御テーブル記憶手段と、
画像データを構成する基本色の組み合わせに関する色情報と、それらの組み合わせに対応する出力制御値とを関連付けた第１のテーブルを記憶する第１の記憶手段と、
画像データを構成する少なくとも１つの特色に関する色情報と、その特色に対応する出力制御値とを関連付けた第２のテーブルを記憶する第２の記憶手段と、前記受信した画像データを構成する基本色及び特色の組み合わせと、前記出力制御テーブルを構成する基本色及び少なくとも１つの特色の組み合わせとを比較して、それらの一致／不一致を判定した上で、一致しなかった場合には、さらに、前記受信した画像データを構成する特色に関する色情報と、前記第２のテーブルを構成する特色の色情報とを比較して、それらの一致／不一致を判定する比較判定手段と、
前記比較判定手段の判定において、前記受信した画像データを構成する特色に関する色情報と、前記第２のテーブルを構成する特色の色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記出力制御テーブルを構成する基本色及び少なくとも１つの特色の組み合わせとに一致するものがあった場合に、該当する前記出力制御テーブルに関する情報を、前記出力制御情報として前記受信した画像データに付加して、
また、前記比較判定手段による判定において、前記受信した画像データを構成する基本色及び特色の組み合わせと、前記出力制御テーブルを構成する基本色及び少なくとも１つの特色の組み合わせとに一致するものがなかった場合に、前記出力制御値算出手段により作成された出力制御テーブルを、前記出力制御情報として前記受信した画像データに付加して、
前記画像出力装置へ送信する出力装置制御手段と、を備えたことを特徴とする画像出力システム。
【請求項１７】
前記出力制御値算出手段は、前記比較判定手段の判定において、前記受信した画像データを構成する特色に関する色情報と、前記第２のテーブルを構成する特色の色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする請求項１６に記載の画像出力システム。
【請求項１８】
前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする請求項１６に記載の画像出力システム。
【請求項１９】
前記基本色並びに前記特色に関する色情報は、該当する色をシアン、マゼンタ、イエロー、ブラックの４色に色分解した場合の各色の構成比率に関する情報であることを特徴とする請求項６乃至請求項１８の何れか一項に記載の画像出力システム。
【請求項２０】
前記基本色並びに前記特色に関する色情報は、該当する色の色相・彩度・輝度に関する情報であることを特徴とする請求項６乃至請求項１８の何れか一項に記載の画像出力システム。
【請求項２１】
前記出力制御値は、前記画像出力装置における各色の露光量に関する値であることを特徴とする請求項６乃至請求項２０の何れか一項に記載の画像出力システム。
【請求項２２】
前記受信した画像データを構成する特色に関する色情報は、前記受信した画像データに付加されることを特徴とする請求項６乃至請求項２１の何れか一項に記載の画像出力システム。
【請求項２３】
前記受信した画像データを構成する特色に関する色情報、及び、前記第２のテーブルを構成する特色の色情報は、それぞれ該当する特色の名称に関する情報を含み、
前記比較判定手段は、前記受信した画像データを構成する特色の名称と、前記第２のテーブルを構成する特色の名称とを比較して、それらの一致／不一致を判定することを特徴とする請求項６乃至請求項２２の何れか一項に記載の画像出力システム。
【請求項２４】
前記第２のテーブルを構成する特色に関する色情報は、該当する特色を再現するインクの透過率に関する情報を含み、
前記出力制御値算出手段は、前記透過率を加味して、前記受信した画像データを構成する基本色及び特色の組み合わせに対応する出力制御値を算出して、前記出力制御テーブルを作成することを特徴とする請求項６乃至請求項２３の何れか一項に記載の画像出力システム。
【請求項２５】
前記インクの透過率は、前記第２のテーブルを構成する特色毎に設定された値及び／又はデフォルト値として設定された特定の値であることを特徴とする請求項２４に記載の画像出力システム。
【請求項２６】
前記制御装置並びに前記画像出力装置は、それぞれ別個の装置として設けられることを特徴とする請求項６乃至請求項２５の何れか一項に記載の画像出力システム。
【請求項２７】
前記制御装置は、前記画像出力装置に内蔵されることを特徴とする請求項６乃至請求項２５の何れか一項に記載の画像出力システム。
【発明の詳細な説明】
【０００１】
【発明の属する技術分野】
本発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムに関するものである。
【０００２】
【従来の技術】
近年、印刷産業においては、ＤＴＰ（Ｄｅｓｋ  Ｔｏｐ  Ｐｕｂｌｉｓｈｉｎｇ）と称され、スキャナから入力した画像をコンピュータのソフトウェア上で画像編集、ページ面付けするデジタル編集装置から、ＣＴＰ（Ｃｏｍｐｕｔｅｒ  ｔｏ  Ｐｌａｔｅ）と称され、デジタルで直接、印刷用の原版を作成する画像出力装置に画像データを送信して、これを出力する機会が増してきている。
【０００３】
しかしながら、このように、直接、印刷用の原版を作成する場合には、ＤＴＰにおいて画像データを作成する際にミスがあると、間違った印刷物を大量に作成してしまう印刷事故が発生する場合があった。
【０００４】
そこで、最近では、原版を作成する前にカラーの網点デジタルプルーフを作成することで、これを基に校正を行うことを可能としたカラープルーフ作成システムなるものが出現するに至っている。
【０００５】
しかしながら、このようなカラープルーフ作成システムにおいては、当該カラープルーフ作成システムを構成する出力装置が、カラーの網点デジタルプルーフをシアン（Ｃ）、マゼンタ（Ｍ）、イエロー（Ｙ）、ブラック（Ｂ）といった基本色のみを用いて出力するものであることが通常であり、画像データに特色が含まれていた場合であっても、これを基本色に色分解して出力することが多い。仮に、出力装置が特色を用いた出力を行うことが可能に構成されたものであっても、特色を出力するためには専用のインクが必要とされることから、このような場合であっても、数種の特定された特色しか出力することはできない。
【０００６】
ところで、前述のように特色を基本色に色分解して出力する場合には、カラーの網点デジタルプルーフの長所である網点品質の確認やモアレ等の確認が不可能となってしまい、また、ドットゲインの影響により所望の色と実際に出力される色とに大きな違いが生じる問題があった。
【０００７】
そこで、画像データに特色が含まれている場合であっても、これを基本色に色分解することなく、そのまま網点で出力することが可能なカラープルーフ作成システムの登場が要望されることとなっている。
【０００８】
ところで、このようなカラープルーフ作成システムの中には、当該カラープルーフ作成システムを構成する出力装置が、感光材料である銀塩カラーペーパーを各色の光源によって露光することで、カラーの網点デジタルプルーフを作成するものにより構成されるものがある。このようなカラープルーフ作成システムにおいては、出力装置のレッド（Ｒ）、グリーン（Ｇ）、ブルー（Ｂ）の各色光源による露光量を各々調節することで、任意の特色を出力することが可能となっている（例えば、特許文献１参照）。
【０００９】
【特許文献１】
特開平５−２９２３０５号公報
（段落〔０００８〕‐〔００２４〕、第１図及び第２図）
【００１０】
このような出力装置の各色光源による露光量の調整は、調節を行う特色に応じた各色光源による露光量に見当をつけて、それに対応する設定値と実際に出力されたカラープルーフの濃度とを比較して、その誤差が少なくなるように設定値を補正していくことで、所望の特色が得られる露光量を決定することが行われている。
【００１１】
また、このような露光量の調整を行う場合には、調整を行う特色のみならず、その特色とＣ、Ｍ、Ｙ、Ｋの基本色との重なりや、他の特色との重なりも考慮して、その各々に関して個別に露光量を設定する必要が生じる。例えば任意の２種類の特色に関して、その露光量の調整を行う場合には、その２種類の特色とＣ、Ｍ、Ｙ、Ｋの基本色との全ての組み合わせを考慮した合計６４種類の色の重なりについて、その露光量を設定する必要がある。
【００１２】
従って、このような場合には、その２種類の特色とＣ、Ｍ、Ｙ、Ｋの基本色とを組み合わせた合計６４種類の色の重なりを持つカラープルーフを作成して、その各々の部分に関して、所望する色の重なりが得られる露光量を決定する必要がある。
【００１３】
【発明が解決しようとする課題】
しかしながら、このように、特色とＣ、Ｍ、Ｙ、Ｋの基本色とを組み合わせた複数種類の色の重なりを持つカラープルーフを作成して、その各々の部分に関して、所望する色の重なりが得られる露光量を決定するための手間というのは、大変なものであり、また、例えば、前述の２種類の特色の内、１つでも変更がある場合には、あらためて、その２種類の特色とＣ、Ｍ、Ｙ、Ｋの基本色とを組み合わせた合計６４種類の色の重なりを持つカラープルーフを作成して、その各々の部分に関して、所望する色の重なりが得られる露光量を決定する必要があり、さらには、無数に存在する特色の内、比較的使用される数千、数百のものに応じて、このような露光量の調整を行っておくことは、現実的には不可能あるため、実際には、特に使用頻度の高い特定の特色についてのみ、その特色に応じた色の重なりを持つカラープルーフを作成して、予め、その特色とＣ、Ｍ、Ｙ、Ｋの基本色とを組み合わせた複数種類の色の重なりに関して、所望する色の重なりが得られる露光量を決定しておくことが行われるに留まっている。
【００１４】
本発明は、上記課題を鑑みてなされたものであり、その目的とするところは、画像出力装置の出力制御を行う制御装置において、予め、画像データを構成する基本色の組み合わせ及び複数の任意の特色に関する色情報と、その基本色の組み合わせ及び任意の特色を画像出力装置において露光して出力するための露光量に関する出力制御値とを関連付けたテーブルを記憶しておくことで、外部装置から送信された画像データに特色が含まれていた場合であっても、予め記憶しておいたテーブルを用いて、その特色に対応した出力制御テーブルを作成して、また、外部装置から送信された画像データに、そのテーブルに設定されていない特色が含まれていた場合であっても、予め記憶しておいたテーブルの複数のパラメータを用いて、その特色に対応したテーブルを作成して、さらに、これを用いて、その特色に対応した出力制御テーブルを作成して、その出力制御テーブルに基づいて画像データの出力処理を行い、操作者が、任意の特色を出力する場合であっても、その特色に対応する出力制御テーブルの設定を行うことなく、その任意の特色に対応した画像の出力を行うことができる画像出力システムを提供することにある。
【００１５】
【課題を解決するための手段】
上記課題を解決するために、請求項１に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせと、それらの組み合わせに対応する出力制御値とを関連付けた第１のテーブル、及び複数の特色に関する色情報と、それらに対応する出力制御値とを関連付けた第２のテーブルを記憶する記憶手段と、前記受信した画像データを構成する特色に関する色情報と、前記第２のテーブルを構成する特色の色情報とを比較して、それらの一致／不一致を判定する比較判定手段と、前記比較判定手段において、一致するものがあった場合に、前記第２のテーブルの該当する特色に関する出力制御値と、前記第１のテーブルにおける基本色の組み合わせに対応する出力制御値とを用いて、また、一致するものがなかった場合に、前記第２のテーブルの複数の特色に関する出力制御値を用いて、前記受信した画像データを構成する特色に対応する出力制御値を算出して、前記算出された出力制御値と、前記第１のテーブルにおける基本色の組み合わせに対応する出力制御値とを用いて、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００１６】
上記課題を解決するために、請求項２に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせと、それらの組み合わせに対応する出力制御値とを関連付けた第１のテーブル、及び複数の特色に関する色情報と、それらに対応する出力制御値とを関連付けた第２のテーブルを記憶する記憶手段と、前記受信した画像データを構成する特色に関する色情報と、前記第２のテーブルを構成する特色の色情報とを比較して、それらの一致／不一致を判定する比較判定手段と、前記比較判定手段において、一致するものがあった場合に、前記第２のテーブルの該当する特色に関する出力制御値と、前記第１のテーブルにおける基本色の組み合わせに対応する出力制御値とを用いて、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信すると共に、前記比較判定手段において、一致するものがなかった場合に、前記受信した画像データに前記画像出力装置の露光条件に関する出力制御情報を付加して前記画像出力装置へ送信する処理を中止する出力装置制御手段と、を備えたことを特徴とする。
【００１７】
また、請求項３に記載の発明は、請求項１又は請求項２に記載の画像出力システムであって、前記記憶手段は、さらに、画像データを構成する複数の特色の組み合わせと、それらの組み合わせに対応する出力制御値とを関連付けた第３のテーブルを記憶し、前記比較判定手段は、前記受信した画像データを構成する特色の組み合わせと、前記第３のテーブルを構成する特色の組み合わせとを比較した上で、一致したものを除いて、さらに、前記受信した画像データを構成する特色に関する色情報と、前記第２のテーブルを構成する特色の色情報とを比較して、前記出力制御値算出手段は、前記比較判定手段において、前記受信した画像データを構成する特色の組み合わせと、前記第３のテーブルを構成する特色の組み合わせとに一致するものがあった場合に、前記第３のテーブルの該当する特色の組み合わせに関する出力制御値と、前記第１のテーブルにおける基本色の組み合わせに対応する出力制御値とを用いて、前記受信した画像データを構成する基本色及び特色の組み合わせと、それらの組み合わせに対応する出力制御値とを関連付けた出力制御テーブルを作成して、前記出力装置制御手段は、前記出力制御テーブルに関する情報を、前記出力制御情報として前記受信した画像データに付加することを特徴とする。
【００１８】
また、請求項４に記載の発明は、請求項１又は請求項２に記載の画像出力システムであって、前記記憶手段は、さらに、画像データを構成する基本色及び少なくとも１つの特色の組み合わせの一部と、それらの組み合わせに対応する出力制御値とを関連付けた第４のテーブルを記憶し、前記比較判定手段は、前記受信した画像データを構成する基本色及び特色の組み合わせと、前記第４のテーブルを構成する基本色及び少なくとも１つの特色の組み合わせとを比較した上で、一致したものを除いて、さらに、前記受信した画像データを構成する特色に関する色情報と、前記第２のテーブルを構成する特色の色情報とを比較して、前記出力制御値算出手段は、前記比較判定手段において、前記受信した画像データを構成する基本色及び特色の組み合わせと、前記第４のテーブルを構成する基本色及び少なくとも１つの特色の組み合わせとに一致するものがあった場合に、前記第４のテーブルの該当する基本色及び少なくとも１つの特色の組み合わせに関する出力制御値を用いて、前記受信した画像データを構成する基本色及び特色の組み合わせと、それらの組み合わせに対応する出力制御値とを関連付けた出力制御テーブルを作成して、前記出力装置制御手段は、前記出力制御テーブルに関する情報を、前記出力制御情報として前記受信した画像データに付加することを特徴とする。
【００１９】
また、請求項５に記載の発明は、請求項１又は請求項２に記載の画像出力システムであって、前記記憶手段は、さらに、画像データを構成する基本色及び少なくとも１つの特色の組み合わせと、それらの組み合わせに対応する出力制御値とを関連付けた出力制御テーブルを記憶し、前記比較判定手段は、前記受信した画像データを構成する基本色及び特色の組み合わせと、前記出力制御テーブルを構成する基本色及び少なくとも１つの特色の組み合わせとを比較した上で、一致したものを除いて、さらに、前記受信した画像データを構成する特色に関する色情報と、前記第２のテーブルを構成する特色の色情報とを比較して、前記出力装置制御手段は、前記比較判定手段による判定において、前記受信した画像データを構成する基本色及び特色の組み合わせと、前記出力制御テーブルを構成する基本色及び少なくとも１つの特色の組み合わせとに一致するものがあった場合に、該当する前記出力制御テーブルに関する情報を、前記出力制御情報として前記受信した画像データに付加することを特徴とする。
【００２０】
上記課題を解決するために、請求項６に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせと、それらの組み合わせに対応する出力制御値とを関連付けた第１のテーブルを記憶する第１の記憶手段と、画像データを構成する少なくとも１つの特色に関する色情報と、その特色に対応する出力制御値とを関連付けた第２のテーブルを記憶する第２の記憶手段と、前記受信した画像データを構成する特色に関する色情報と、前記第２のテーブルを構成する特色の色情報とを比較して、それらの一致／不一致を判定する比較判定手段と、前記比較判定手段の判定において、一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００２１】
また、請求項７に記載の発明は、請求項６に記載の画像出力システムであって、前記比較判定手段の判定において、一致するものがなかった場合に、前記出力制御値算出手段は、前記出力制御テーブルを作成せずに、前記出力装置制御手段は、前記受信した画像データに前記画像出力装置の露光条件に関する出力制御情報を付加して前記画像出力装置へ送信する処理を中止することを特徴とする。
【００２２】
上記課題を解決するために、請求項８に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせに関する色情報と、それらの組み合わせに対応する出力制御値とを関連付けた第１のテーブルを記憶する第１の記憶手段と、画像データを構成する少なくとも１つの特色に関する色情報と、その特色に対応する出力制御値とを関連付けた第２のテーブルを記憶する第２の記憶手段と、前記受信した画像データを構成する特色に関する色情報と、前記第２のテーブルを構成する特色の色情報とを比較して、それらの一致／不一致を判定する比較判定手段と、前記比較判定手段の判定において、一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００２３】
上記課題を解決するために、請求項９に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせと、それらの組み合わせに対応する出力制御値とを関連付けた第１のテーブルを記憶する第１の記憶手段と、画像データを構成する少なくとも１つの特色に関する色情報と、その特色に対応する出力制御値とを関連付けた第２のテーブルを記憶する第２の記憶手段と、画像データを構成する複数の特色の組み合わせと、それらの組み合わせに対応する出力制御値とを関連付けた第３のテーブルを記憶する第３の記憶手段と、前記受信した画像データを構成する特色の組み合わせと、前記第３のテーブルを構成する複数の特色の組み合わせとを比較して、それらの一致／不一致を判定した上で、一致したものを除いて、さらに、前記受信した画像データを構成する特色に関する色情報と、前記第２のテーブルを構成する特色の色情報とを比較して、それらの一致／不一致を判定する比較判定手段と、前記比較判定手段の判定において、前記受信した画像データを構成する特色の組み合わせと、前記第３のテーブルを構成する複数の特色の組み合わせとに一致するものがあった場合に、該当する特色の前記第３のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御値算出手段により作成された出力制御テーブルに関する情報を、前記出力制御情報として前記受信した画像データに付加して、前記画像出力装置へ送信する出力装置制御手段と、を備えたことを特徴とする。
【００２４】
また、請求項１０に記載の発明は、請求項９に記載の画像出力システムであって、前記出力制御値算出手段は、前記比較判定手段の判定において、前記受信した画像データを構成する特色に関する色情報と、前記第２のテーブルを構成する特色に関する色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする。
【００２５】
また、請求項１１に記載の発明は、請求項９に記載の画像出力システムであって、前記出力制御値算出手段は、前記比較判定手段の判定において、前記受信した画像データを構成する特色に関する色情報と、前記第２のテーブルを構成する特色に関する色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする。
【００２６】
また、請求項１２に記載の発明は、請求項９に記載の画像出力システムであって、前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする。
【００２７】
上記課題を解決するために、請求項１３に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色の組み合わせに関する色情報と、それらの組み合わせに対応する出力制御値とを関連付けた第１のテーブルを記憶する第１の記憶手段と、画像データを構成する少なくとも１つの特色に関する色情報と、その特色に対応する出力制御値とを関連付けた第２のテーブルを記憶する第２の記憶手段と、画像データを構成する基本色及び少なくとも１つの特色の組み合わせの一部と、それらの組み合わせに対応する出力制御値とを関連付けた第４のテーブルを少なくとも１つ記憶する第４の記憶手段と、前記受信した画像データを構成する基本色及び特色の組み合わせと、前記第４のテーブルを構成する基本色及び少なくとも１つの特色の組み合わせとを比較して、それらの一致／不一致を判定した上で、一致したものを除いて、さらに、前記受信した画像データを構成する特色に関する色情報と、前記第２のテーブルを構成する特色の色情報とを比較して、それらの一致／不一致を判定する比較判定手段と、前記比較判定手段の判定において、前記受信した画像データを構成する特色に関する色情報と、前記第２のテーブルを構成する特色の色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記第４のテーブルを構成する基本色及び少なくとも１つの特色の組み合わせとに一致するものがあった場合に、該当する前記第４のテーブルに関する情報を、前記出力制御情報として前記受信した画像データに付加して、また、前記比較判定手段による判定において、前記受信した画像データを構成する基本色及び特色の組み合わせと、前記出力制御テーブルを構成する基本色及び少なくとも１つの特色の組み合わせとに一致するものがなかったものに関しては、前記出力制御値算出手段により作成された出力制御テーブルを、前記出力制御情報として前記受信した画像データに付加して、前記画像出力装置へ送信する出力装置制御手段と、を備えたことを特徴とする。
【００２８】
また、請求項１４に記載の発明は、請求項１３に記載の画像出力システムであって、前記出力制御値算出手段は、前記比較判定手段の判定において、前記受信した画像データを構成する特色に関する色情報と、前記第２のテーブルを構成する特色の色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする。
【００２９】
また、請求項１５に記載の発明は、請求項１３に記載の画像出力システムであって、前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする。
【００３０】
上記課題を解決するために、請求項１６に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び少なくとも１つの特色の組み合わせと、それらの組み合わせに対応する出力制御値とを関連付けた出力制御テーブルを少なくとも１つ記憶する出力制御テーブル記憶手段と、画像データを構成する基本色の組み合わせに関する色情報と、それらの組み合わせに対応する出力制御値とを関連付けた第１のテーブルを記憶する第１の記憶手段と、画像データを構成する少なくとも１つの特色に関する色情報と、その特色に対応する出力制御値とを関連付けた第２のテーブルを記憶する第２の記憶手段と、前記受信した画像データを構成する基本色及び特色の組み合わせと、前記出力制御テーブルを構成する基本色及び少なくとも１つの特色の組み合わせとを比較して、それらの一致／不一致を判定した上で、一致しなかった場合には、さらに、前記受信した画像データを構成する特色に関する色情報と、前記第２のテーブルを構成する特色の色情報とを比較して、それらの一致／不一致を判定する比較判定手段と、前記比較判定手段の判定において、前記受信した画像データを構成する特色に関する色情報と、前記第２のテーブルを構成する特色の色情報とに一致するものがあった場合に、該当する特色の前記第２のテーブルにおける出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記出力制御テーブルを構成する基本色及び少なくとも１つの特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する基本色及び特色の組み合わせと、前記出力制御テーブルを構成する基本色及び少なくとも１つの特色の組み合わせとに一致するものがなかった場合に、前記出力制御値算出手段により作成された出力制御テーブルを、前記出力制御情報として前記受信した画像データに付加して、前記画像出力装置へ送信する出力装置制御手段と、を備えたことを特徴とする。
【００３１】
また、請求項１７に記載の発明は、請求項１６に記載の画像出力システムであって、前記出力制御値算出手段は、前記比較判定手段の判定において、前記受信した画像データを構成する特色に関する色情報と、前記第２のテーブルを構成する特色の色情報とに一致するものがなかった場合に、前記第２のテーブルを構成する少なくとも２つの特色に対応する出力制御値を用いて、前記受信した画像データを構成する特色に対応する出力制御値を算出して、さらに、前記算出した出力制御値と、前記第１のテーブルを構成する基本色の組み合わせに対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成することを特徴とする。
【００３２】
また、請求項１８に記載の発明は、請求項１６に記載の画像出力システムであって、前記比較判定手段の判定において、前記受信した画像データを構成する特色に関する色情報と、前記第２のテーブルを構成する特色に関する色情報とに一致するものがなかった場合に、前記出力装置制御手段は、前記受信した画像データに前記画像出力装置の露光条件に関する出力制御情報を付加して前記画像出力装置へ送信する処理を中止することを特徴とする。
【００３３】
また、請求項１９に記載の発明は、請求項６乃至請求項１８の何れか一項に記載の画像出力システムであって、前記基本色並びに前記特色に関する色情報は、該当する色をシアン、マゼンタ、イエロー、ブラックの４色に色分解した場合の各色の構成比率に関する情報であることを特徴とする。
【００３４】
また、請求項２０に記載の発明は、請求項６乃至請求項１８の何れか一項に記載の画像出力システムであって、前記基本色並びに前記特色に関する色情報は、該当する色の色相・彩度・輝度に関する情報であることを特徴とする。
【００３５】
また、請求項２１に記載の発明は、請求項６乃至請求項２０の何れか一項に記載の画像出力システムであって、前記出力制御値は、前記画像出力装置における各色の露光量に関する値であることを特徴とする。
【００３６】
また、請求項２２に記載の発明は、請求項６乃至請求項２１の何れか一項に記載の画像出力システムであって、前記受信した画像データを構成する特色に関する色情報は、前記受信した画像データに付加されることを特徴とする。
【００３７】
また、請求項２３に記載の発明は、請求項６乃至請求項２２の何れか一項に記載の画像出力システムであって、前記受信した画像データを構成する特色に関する色情報、及び、前記第２のテーブルを構成する特色の色情報は、それぞれ該当する特色の名称に関する情報を含み、前記比較判定手段は、前記受信した画像データを構成する特色の名称と、前記第２のテーブルを構成する特色の名称とを比較して、それらの一致／不一致を判定することを特徴とする。
【００３８】
また、請求項２４に記載の発明は、請求項６乃至請求項２３の何れか一項に記載の画像出力システムであって、前記第２のテーブルを構成する特色に関する色情報は、該当する特色を再現するインクの透過率に関する情報を含み、前記出力制御値算出手段は、前記透過率を加味して、前記受信した画像データを構成する基本色及び特色の組み合わせに対応する出力制御値を算出して、前記出力制御テーブルを作成することを特徴とする。
【００３９】
また、請求項２５に記載の発明は、請求項２４に記載の画像出力システムであって、前記インクの透過率は、前記第２のテーブルを構成する特色毎に設定された値及び／又はデフォルト値として設定された特定の値であることを特徴とする。
【００４０】
また、請求項２６に記載の発明は、請求項６乃至請求項２５の何れか一項に記載の画像出力システムであって、前記制御装置並びに前記画像出力装置は、それぞれ別個の装置として設けられることを特徴とする。
【００４１】
また、請求項２７に記載の発明は、請求項６乃至請求項２５の何れか一項に記載の画像出力システムであって、前記制御装置は、前記画像出力装置に内蔵されることを特徴とする。
【００４２】
【発明の実施の形態】
以下、本発明に係る画像出力システムの様々な実施形態について、図面を参照しながら詳細に説明する。尚、請求項１及び請求項２に係る画像出力システムは、本発明にいう「第１のテーブル」及び「第２のテーブル」を記憶している点において、請求項６乃至請求項８に係る画像出力システムと関連するものであり、同様に、請求項３に係る画像出力システムは、本発明にいう「第１のテーブル」乃至「第３のテーブル」を記憶している点において、請求項９乃至請求項１２に係る画像出力システムと関連するものであり、同様に、請求項４に係る画像出力システムは、本発明にいう「第１のテーブル」、［第２のテーブル］及び「第４のテーブル」を記憶している点において、請求項１３乃至請求項１５に係る画像出力システムと関連するものであり、同様に、請求項５に係る画像出力システムは、本発明にいう「第１のテーブル」、「第２のテーブル」及び「出力制御テーブル」を記憶している点において、請求項１６乃至請求項１８に係る画像出力システムと関連するものとなっており、さらに、請求項３乃至請求項５に係る画像出力システムは、各々、請求項１又は請求項２に係る画像出力システムに「第３のテーブル」、「第４のテーブル」、「出力制御テーブル」を追加して記憶した形態となっていることから、以下においては、これら請求項３乃至請求項５に係る画像出力システム、即ち、請求項９乃至請求項１８に係る画像出力システムに対応する実施形態を基本として、本発明に係る画像出力システムについて説明することとする。
【００４３】
［第一の実施形態］
まず、本実施形態における画像出力システムの概略構成及び概略動作について説明する。尚、当該画像出力システムは、画像出力装置として、所謂、デジタルカラープルーフ作成装置（以下、ＤＣＰ作成装置と称する）を含み構成されるものである。
【００４４】
（画像出力システムの概略構成）
図１に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを受信して、その画像データを直接、若しくは、所定の出力条件にて解析加工し、これを出力指示信号と共にＤＣＰ作成装置４Ａに送信する制御装置３Ａと、この制御装置３Ａから送信された画像データに基づいて、所定の出力条件にて所定の画像を出力するＤＣＰ作成装置４Ａとを含み構成されている。尚、画像データ編集端末１Ａ〜１Ｃ及びＲＩＰ２と制御装置３Ａとは、ネットワークＮを介して互いに接続されている。また、画像データ編集端末１Ａ〜１ＣやＲＩＰ２は、任意の数が設けられて良い。
【００４５】
画像データ編集端末１Ａ〜１Ｃ及び制御装置３Ａは、何れもコンピュータターミナル（端末装置）として動作するものであって、画像データ編集端末１Ａ〜１Ｃは、コンピュータ本体、キーボード、モニタ、イメージスキャナ等の必要な画像入力機器等を備えている。また、制御装置３Ａは、コンピュータ本体、キーボード、モニタ等を備え、ＤＣＰ作成装置４Ａの出力制御を行うための所定の動作プログラムが組み込まれている。
【００４６】
（画像出力システムの概略動作）
このような構成において、画像データ編集端末１Ａ〜１Ｃ、又はＲＩＰ２から画像データが送信された場合には、制御装置３Ａは、これを受信して、その画像データの種別に応じて、その画像データを解析加工するか否かを決定する。ここで解析加工すると決定された場合には、所定の設定条件にて解析加工が行われる。また、制御装置３Ａは、その画像データに特色が含まれるか否かを判断して、特色が含まれていた場合には、さらに、当該制御装置３Ａにおいて、それらの特色に対応するカラーコレクションの設定が成されているか否かを判断して、ここでカラーコレクションの設定が成されていた場合には、画像データに、そのカラーコレクションに関する情報を付加した上で、出力指示信号と共にＤＣＰ作成装置４Ａに送信する。一方、それらの特色に対応するカラーコレクションの設定が成されていなかった場合には、まず、当該制御装置３Ａにおいて、その特色に対応する濃度テーブルの設定が成されているか否かを判断して、ここで濃度テーブルの設定が成されていた場合には、その濃度テーブルと、当該制御装置３Ａにおいて予め設定された基本色の組み合わせに対応する濃度テーブルとに基づいてカラーコレクションを作成して、画像データに、そのカラーコレクションに関する情報を付加した上で、出力指示信号と共にＤＣＰ作成装置４Ａに送信する。また、濃度テーブルの設定が成されていなかった場合には、設定されている濃度テーブルの複数を組み合わせることで、その特色に対応する濃度テーブルを作成して、さらに、その濃度テーブルと、当該制御装置３Ａにおいて予め設定された基本色の組み合わせに対応する濃度テーブルとに基づいてカラーコレクションを作成して、画像データに、そのカラーコレクションに関する情報を付加した上で、出力指示信号と共にＤＣＰ作成装置４Ａに送信する。尚、このことの詳細については、カラーコレクションに関する説明も含めて後述する。
【００４７】
ところで、此処に言う画像データの種別には、主に、ＰＳ、ＰＤＦ、ＥＰＳ等のページ記述言語と、ＴＩＦＦ、ＴＩＦＦ／ＩＴ、ＪＰＥＧ等の多値画像汎用フォーマットと、ＴＩＦＦ、ＢＩＴＭＡＰ等の２値画像汎用フォーマットがあり、制御装置３Ａは、これらの種別に応じて、送信された画像データを解析加工するか否かを決定する。また、此処に言う所定の設定条件とは、具体的には、出力解像度・網点形式・色分解の実施有無などのことである。また、此処にいうカラーコレクションとは、Ｃ、Ｍ、Ｙ、Ｋの基本色と所定数の特色との全ての組み合わせと、ＤＣＰ作成装置４ＡにおけるＲ、Ｇ、Ｂの各色の露光量とを関連付けたテーブルのことであって、本発明の「出力制御テーブル」に対応する。また、此処に言う濃度テーブルとは、基本色の組み合わせ、特色、特色の組み合わせ、若しくは基本色及び特色の組み合わせの一部と、ＤＣＰ作成装置４ＡにおけるＲ、Ｇ、Ｂの各色の露光量とを関連付けたテーブルのことであって、本発明の「第１のテーブル」乃至「第４のテーブル」の何れかに対応する。
【００４８】
制御装置３Ａからカラーコレクションに関する情報が付加された解析加工後の画像データと出力指示信号を受けたＤＣＰ作成装置４Ａは、そのカラーコレクションに従って、当該ＤＣＰ作成装置４ＡのＲ、Ｇ、Ｂの各色光源に関する露光量の出力制御を行いつつ、基本色及び所定の特色を用いて、その画像データの出力を行う。
【００４９】
次に、当該画像出力システムの詳細構成及び詳細動作について、その構成要素である制御装置３Ａを主として説明する。
【００５０】
（制御装置の詳細構成）
図１に示すように、制御装置３Ａは、カラーコレクション（本発明の出力制御テーブル）を記憶するカラーコレクション記憶手段Ｂ（本発明の出力制御テーブル記憶手段）と、少なくとも基本色の組み合わせ及び任意の特色に対応した濃度テーブル（本発明の第１のテーブル及び第２のテーブル）を記憶する濃度テーブル記憶手段Ｃ（本発明の第１の記憶手段及び第２の記憶手段）と、画像データ編集端末１Ａ〜１Ｃ、又はＲＩＰ２から送信された画像データに特色が含まれるか否か、また、ここで特色が含まれていた場合には、その特色に対応したカラーコレクションがカラーコレクション記憶手段Ｂに記憶されているか否か、ここでその特色に対応したカラーコレクションがカラーコレクション記憶手段Ｂに記憶されていなかった場合には、さらに、その特色に対応した濃度テーブルが濃度テーブル記憶手段Ｃに記憶されているか否かを判断する比較判定手段Ａと、この比較判定手段Ａの判定結果において、その画像データに含まれる特色に対応したカラーコレクションがカラーコレクション記憶手段Ｂに記憶されていないと判断された場合に、また、その画像データに含まれる特色に対応した濃度テーブルが濃度テーブル記憶手段Ｃに記憶されていないと判断された場合に、濃度テーブル記憶手段Ｃに記憶された特色に関する濃度テーブル及び基本色の組み合わせに関する濃度テーブルを用いて、或いは、濃度テーブル記憶手段Ｃに記憶された特色に関する濃度テーブルの複数のパラメータを組み合わせることによって、その特色に対応する出力制御値を算出し、その特色に対応する濃度テーブルを作成して、その濃度テーブルと濃度テーブル記憶手段Ｃに記憶された基本色の組み合わせに関する濃度テーブルとを用いて、その画像データに含まれる特色に対応したカラーコレクションを作成する出力制御値算出手段Ｄと、画像データ編集端末１Ａ〜１Ｃ及びＲＩＰ２から送信された画像データの種別を判断して、必要に応じて、その画像データの網点化処理を行う網点化処理手段Ｅと、カラーコレクション記憶手段Ｂに記憶されたカラーコレクション、または、出力制御値算出手段Ｄによって新たに作成されたカラーコレクションに関するデータを網点化された画像データに付加して、これを出力指示信号と共にＤＣＰ作成装置４Ａに送信する出力装置制御手段Ｆと、この他、カラーコレクション記憶手段Ｂに任意のカラーコレクションを登録するカラーコレクション登録手段Ｇとを含み構成されている。
【００５１】
（画像出力システムの詳細動作）
このような構成において、操作者は、画像データの出力処理を行う事前準備として、必要に応じて、制御装置３Ａのカラーコレクション登録手段Ｇによって、カラーコレクション記憶手段Ｂに記憶するカラーコレクションに関する情報の登録を行う。これは、カラーコレクション設定と称されるものであって、具体的には、図２に示すような内容が設定される。即ち、入力項目としては、入力値と出力制御値とがあり、例えば入力値には、シアン、マゼンタ、イエロー、ブラックの基本色と特色１、特色２との全ての組み合わせがあり、また、出力制御値には、これらに対応するＤＣＰ作成装置４ＡにおけるＲ、Ｇ、Ｂの各色光源による露光量の設定値があり、これらを関連付けて登録する。尚、設定を行うことが可能な特色の数に関しては、２個に限られず任意の数であって良い。
【００５２】
尚、当該カラーコレクション設定に関する情報は、制御装置３ＡからＤＣＰ作成装置４Ａに画像データが送信される際に、合わせて送信され、その設定内容はＤＣＰ作成装置４Ａに記憶されているカラーコレクションに反映される。
【００５３】
ところで、カラーコレクションは、通常、複数種類設定されるため、操作者は、カラーコレクション登録手段Ｇにおいて、このようなカラーコレクションを複数登録することとなる。例えば、４種類のカラーコレクションを登録する場合には、図３に示すように、カラーコレクションの設定番号［（１）、（２）、（３）、（４）］に対応して、ＣＣチャンネル１〜ＣＣチャンネル４までの４種類のカラーコレクションにおいて設定されている特色の数及びその名称［（２、ＰＩＮＫ、ＬＩＧＨＴＧＲＥＥＮ）、（０）、（１、ＯＲＡＮＧＥ）、（０）］等を設定することとなる。
【００５４】
これらカラーコレクションに関する登録内容は、カラーコレクション記憶手段Ｂに記憶され、画像データ編集端末１Ａ〜１Ｃ及びＲＩＰ２から送信された画像データの種別に応じて、出力装置制御手段Ｆによって、適宜選択され、画像データに付加された上で、制御装置３ＡからＤＣＰ作成装置４Ａへと送信されて、その設定内容は、ＤＣＰ作成装置４Ａにおけるカラーコレクションの設定に反映されることになる。
【００５５】
（画像出力システムの詳細動作）
以下、図４に示すフローチャートに基づいて、当該画像出力システムの画像出力処理について説明を続ける。
【００５６】
画像データ編集端末１Ａ〜１Ｃ及びＲＩＰ２から画像データが送信されると、制御装置３Ａは、これを受信して、比較判定手段Ａは、まず、その画像データに特色が含まれるか否かを判断する（Ｓ０１）。ここで、特色が含まれていた場合には（Ｓ０１、Ｙｅｓ）、さらに、その特色に対応したカラーコレクションがカラーコレクション記憶手段Ｂに記憶されているか否かを判断して（Ｓ０２）、ここで、その特色に対応したカラーコレクションがカラーコレクション記憶手段Ｂに記憶されていなかった場合には（Ｓ０２、Ｎｏ）、さらに、その特色に対応した濃度テーブルが濃度テーブル記憶手段Ｃに記憶されているか否かを判断する（Ｓ０３）。
【００５７】
ところで、Ｓ０１において、特色が含まれていなかった場合には（Ｓ０１、Ｎｏ）、比較判定手段Ａは、次に、その画像データが網点化処理を必要とするか否かを判断する（Ｓ０９）。ここで、その画像データが網点化処理を必要とした場合には（Ｓ０９、Ｙｅｓ）、網点化処理手段Ｅは、その画像データの網点化処理を行う（Ｓ１０）。また、その画像データが網点化処理を必要としなかった場合には（Ｓ０９、Ｎｏ）、網点化処理手段Ｅは、その画像データの網点化処理を行わない。さらに、出力装置制御手段Ｆは、その画像データに対応するカラーコレクション（基本色のみによって構成されるカラーコレクション）をカラーコレクション記憶手段Ｂから読み出して、その画像データに付加した上で（Ｓ１１）、これらを出力指示信号と共にＤＣＰ作成装置４Ａに送信する（Ｓ１２）。
【００５８】
また、Ｓ０２において、その特色に対応したカラーコレクションがカラーコレクション記憶手段Ｂに記憶されていた場合には（Ｓ０２、Ｙｅｓ）、Ｓ０９へ移行する。
【００５９】
Ｓ０３の説明に戻って、ここで、その特色に対応した濃度テーブルが濃度テーブル記憶手段Ｃに記憶されていた場合には（Ｓ０３、Ｙｅｓ）、出力制御値算出手段Ｄは、その濃度テーブルと濃度テーブル記憶手段Ｃに記憶されている基本色の組み合わせに関する濃度テーブルを用いて、その特色に対応するカラーコレクションを作成する（Ｓ０５）。
【００６０】
ここで、このＳ０５において、出力制御値算出手段Ｄが、濃度テーブル記憶手段Ｃに記憶されていた特色に関する濃度テーブルを用いて、その特色に対応する出力制御値を算出して、さらに、その出力制御値と濃度テーブル記憶手段Ｃに記憶されている基本色に関する濃度テーブルを用いて、その特色に対応するカラーコレクションを作成する工程について説明する。
【００６１】
例えば、画像データ編集端末１Ａ〜１Ｃ及びＲＩＰ２から送信された画像データに含まれる特色、例えば特色３が、カラーコレクション記憶手段Ｂに登録されたカラーコレクション、例えば、図２に示すカラーコレクションの特色１及び特色２の何れにも対応しないものであって、濃度テーブル記憶手段Ｃに記憶された特色に関する濃度テーブル、例えば、図５に示す特色に関する濃度テーブルのｓｐｏｔ３、即ち、”項番３”に対応するものであったとする。尚、このような判断は、比較判定手段Ａが、画像データ編集端末１Ａ〜１Ｃ及びＲＩＰ２から送信された画像データに付加された特色に関する色情報（各特色に対応する名称）と濃度テーブル記憶手段Ｃに記憶された特色に関する色情報（各特色に対応する名称）とを比較することで行われる。また、特色に関する色情報は、この他にも、例えば処理指示書等で指示されたカラーチップを濃度計で読み取る（濃度を測定する）ことで取得されても良い。このような場合、出力制御値算出手段Ｄは、この”項番３”の濃度テーブルと、図６に示すような基本色の組み合わせに関する濃度テーブルとを用いて図７に示すようなカラーコレクションを作成する。但し、この際、透過率を加味した出力処理を行う場合には、出力制御値算出手段Ｄは、図５に示す濃度テーブルの透過率を加味した上でカラーコレクションを作成する。尚、此処に言う透過率とは、その特色と他の基本色或いは特色とを重ね合わせた場合に、その特色が透けて見える割合（パーセント）を表す数値のことであって、出力制御値算出手段Ｄは、具体的には、重ねあわせる対象となる色、即ち、基本色の濃度テーブルの出力制御値に、この透過率を乗じた上で、当該特色の濃度テーブルの出力制御値と加算して、その特色と基本色との重ね合わせについて、各々に対応する出力制御値を算出して、カラーコレクションを作成する。尚、図７に示すカラーコレクションにおいては、特色はｓｐｏｔ３のみとなっていることからｓｐｏｔ３と基本色との重ね合わせのみが生じているが、例えば、特色が複数設定される場合には、図２に示したように、例えば特色１と特色２のように特色同士の重ね合わせが当然に発生することとなる。
【００６２】
再びＳ０３の説明に戻って、また、その特色に対応した濃度テーブルが濃度テーブル記憶手段Ｃに記憶されていなかった場合には（Ｓ０３、Ｎｏ）、出力制御値算出手段Ｄは、濃度テーブル記憶手段Ｃに記憶されている特色に関する濃度テーブルの複数のパラメータを用いて、まず、その特色に対応する出力制御値を算出し、その特色に対応する濃度テーブルを作成して（Ｓ０４）、次に、その濃度テーブルと濃度テーブル記憶手段Ｃに記憶されている基本色の組み合わせに関する濃度テーブルを用いて、その特色に対応するカラーコレクションを作成する。尚、出力制御値算出手段Ｄが作成したカラーコレクションは、カラーコレクション記憶手段Ｂに記憶される（Ｓ０５）。
【００６３】
ここで、このＳ０４〜Ｓ０５において、出力制御値算出手段Ｄが、濃度テーブル記憶手段Ｃに記憶されている特色に関する濃度テーブルの複数のパラメータを用いて、その特色に対応する濃度テーブルを作成して、さらに、その濃度テーブルと濃度テーブル記憶手段Ｃに記憶されている基本色の組み合わせに関する濃度テーブルを用いてカラーコレクションを作成する工程について説明する。
【００６４】
例えば、画像データ編集端末１Ａ〜１Ｃ及びＲＩＰ２から送信された画像データに含まれる特色、例えばｓｐｏｔ６が、カラーコレクション記憶手段Ｂに登録されたカラーコレクション、例えば、図２に示すカラーコレクションの特色１及び特色２の何れにも対応しないものであって、さらに、濃度テーブル記憶手段Ｃに記憶された特色に関する濃度テーブル、例えば、図５に示す濃度テーブルの何れにも対応しないものであったとする。尚、このような判断は、比較判定手段Ａが、画像データ編集端末１Ａ〜１Ｃ及びＲＩＰ２から送信された画像データに付加された特色に関する色情報（各特色に対応する名称）と濃度テーブル記憶手段Ｃに記憶された特色に関する色情報（各特色に対応する名称）とを比較することで行われる。また、特色に関する色情報は、この他にも、例えば処理指示書等で指示されたカラーチップを濃度計で読み取る（濃度を測定する）ことで取得されても良い。このような場合、出力制御値算出手段Ｄは、図５に示す濃度テーブルの複数のパラメータを用いて、その特色に対応する出力制御値を算出し、図８に示すような濃度テーブルを作成する。但し、このような場合には、画像データ編集端末１Ａ〜１Ｃ及びＲＩＰ２から送信された画像データに付加された特色に関する色情報に、例えば、その特色をシアン、マゼンタ、イエロー、ブラックの基本色に色分解した場合の各色の構成比率に関する情報等が付加されていて、且つ、図５に示す濃度テーブル及び図６に示す濃度テーブルにも、これに応じて各パラメータ、即ち、各色をシアン、マゼンタ、イエロー、ブラックの４色に色分解した場合の各色の構成比率に関する情報等が予め付加されていることが前提となる。即ち、図５に示す濃度テーブルは、より詳しくは、図９に示すような濃度テーブル（但し、”項番６”の濃度テーブルを除くハッチング部分のみ）となっているものとし、また、図６に示す濃度テーブルは、より詳しくは、図１０に示すような濃度テーブルとなっているものとする。
【００６５】
説明に戻って、例えば、画像データ編集端末１Ａ〜１Ｃ及びＲＩＰ２から送信された画像データに付加された特色、即ち、ｓｐｏｔ６に関する色情報（その特色を基本色に色分解した場合の各色の構成比率）が、Ｃ１０％、Ｍ５％、Ｙ５％、Ｋ０％であったものとする。このような場合、出力制御値算出手段Ｄは、具体的には、図９に示す”項番３”と”項番４”の濃度テーブルを用いて、これらの直線補間を行うことで、Ｃ１０％、Ｍ５％、Ｙ５％、Ｋ０％に対応する出力制御値を算出し、”項番６”の濃度テーブルを作成する。さらに、この”項番６”の濃度テーブルと濃度テーブル記憶手段Ｃに記憶されている基本色の組み合わせに関する濃度テーブルを用いて、図８に示すようなカラーコレクションを作成する。但し、この際、透過率を加味した出力処理を行う場合には、出力制御値算出手段Ｄは、その透過率を加味した上でカラーコレクションを作成する。尚、此処に言う透過率とは、その特色と他の基本色或いは特色とを重ね合わせた場合に、その特色が透けて見える割合（パーセント）を表す数値のことであって、出力制御値算出手段Ｄは、具体的には、重ねあわせる対象となる色、即ち、基本色の濃度テーブルの出力制御値に、この透過率を乗じた上で、当該特色の濃度テーブルの出力制御値と加算して、その特色と基本色との重ね合わせについて、各々に対応する出力制御値を算出して、カラーコレクションを作成する。尚、図８に示すカラーコレクションにおいては、特色はｓｐｏｔ６のみとなっていることからｓｐｏｔ６と基本色との重ね合わせのみが生じているが、例えば、特色が複数設定される場合には、図２に示したように、例えば特色１と特色２のように特色同士の重ね合わせが当然に発生することとなる。
【００６６】
ここで、出力制御値算出手段Ｄが、図９に示す特色に関する濃度テーブルを用いて、且つ、透過率を加味した上で出力制御値を算出する場合の具体例について説明する。
【００６７】
例えば、濃度テーブル記憶手段Ｃに、予め、図１１に示すような濃度テーブル、具体的には、図１１に示すハッチング部分（”項番１”〜”項番１９”、”項番２４”のパラメータ）のみが登録されていたとする。そして、画像データ編集端末１Ａ〜１Ｃ及びＲＩＰ２から送信された画像データがｓｐｏｔ１及びｓｐｏｔ４の特色を含んではいるが、これら２つの特色と基本色との組み合わせが、図１１に示す濃度テーブルにないものを有しているような場合には、出力制御値算出手段Ｄは、図５に示すｓｐｏｔ１及びｓｐｏｔ４に対応する”項番１”及び”項番４”の濃度テーブルと、図６に示す基本色の組み合わせに対応した濃度テーブルを組み合わせることで、その２つの特色と基本色との組み合わせに対応する部分（例えば、図１１に示す”項番２０”〜”項番２３”、”項番６１”〜”項番６４”のパラメータ）に関する出力制御値を算出して、そのパラメータを作成して、カラーコレクションを完成させる。
【００６８】
（例１）
例えば、図１１に示す濃度テーブルの”項番２０”のパラメータを作成する場合には、出力制御値算出手段Ｄは、具体的には、濃度テーブル記憶手段Ｃに記憶されている、図５（或いは、図９）に示す”項番１”の濃度テーブルと、図６に示す”項番２”のパラメータを用いて、以下の通りに、図１１に示す”項番２０”に関する出力制御値を算出する。
Ｒについて…０．８２（ｓｐｏｔ１の出力制御値（図５参照））＋１．７０（ブラックの出力制御値（図６参照））×０．１０（透過率）＝０．９９となる。
Ｇについて…１．２０（ｓｐｏｔ１の出力制御値（図５参照））＋１．６２（ブラックの出力制御値（図６参照））×０．１０（透過率）＝１．３６となる。
Ｂについて…０．０５（ｓｐｏｔ１の出力制御値（図５参照））＋１．８０（ブラックの出力制御値（図６参照））×０．１０（透過率）＝０．２３となる。
従って、出力制御値算出手段Ｄは、これらＲ、Ｇ、Ｂの出力制御値を用いることで、図１１に示す濃度テーブルの”項番２０”のパラメータを作成する。
【００６９】
（例２）
また、例えば、図１１に示す濃度テーブルの”項番２２”のパラメータを作成する場合には、出力制御値算出手段Ｄは、具体的には、濃度テーブル記憶手段Ｃに記憶されている図５に示す”項番１”及び”項番４”の濃度テーブルと、図６に示す”項番２”のパラメータを用いて、図１１に示す濃度テーブルの”項番２２”に関する出力制御値を算出する。但し、本例においては、説明を簡略化するために、図１１に示す濃度テーブルの”項番２０”のパラメータと、図５に示す”項番４”の濃度テーブルを用いて、以下の通りに、図１１に示す濃度テーブルの”項番２２”における出力制御値を算出することとする。また、図５に示す”項番４”の濃度テーブルの透過率（デフォルト値）は、０．５に設定されているものとする。
Ｒについて…０．７１（ｓｐｏｔ４の出力制御値（図５参照））＋０．９９（”項番２０”の出力制御値（図１１参照））×０．５０（透過率）＝１．２０となる。
Ｇについて…２．０２（ｓｐｏｔ４の出力制御値（図５参照））＋１．３６（”項番２０”の出力制御値（図１１参照））×０．５０（透過率）＝２．７０となる。
Ｂについて…０．８３（ｓｐｏｔ４の出力制御値（図５参照））＋０．２３（”項番２０”の出力制御値（図１１参照））×０．５０（透過率）＝０．９５となる。
従って、出力制御値算出手段Ｄは、これらＲ、Ｇ、Ｂの出力制御値を用いることで、図１１に示す濃度テーブルの”項番２２”のパラメータを作成する。
【００７０】
ここで、図５に示す濃度テーブルの透過率にデフォルトの値を設定することの理由について説明する。実際においては、特色の多くは、他の基本色或いは特色との重なり部分が設けられない場合が多い。また、重なりがあったとしても、他の色との境界部分で版ズレ対策のためにトラッピング設定を行っている場合や、シアン、マゼンタ、イエロー、ブラックの基本色との重なりがほとんどである。しかも、これらの内、トラッピング設定に関して述べれば、特色の多くは、他の基本色或いは特色と重なっていることが判別できれば良く、厳密な色の一致については要求されないことが多い。一方、他の基本色との重なりに関して述べれば、通常、このような色の重なりについては、印刷パッチが提供されるため、透過率を用いて計算を行うまでもなく、その出力制御値を取得することが可能になっている。従って、実際においては、透過率は極端な範囲でなければ任意の値に設定されても問題がない場合が非常に多く、また、透過率の設定にも多少の手間が伴うことから、場合に応じて、デフォルトの値を用いることで効率化を図ろうとするものである。
【００７１】
尚、以上に説明した出力制御値を算出する手法は、あくまでも、その一例を例示したものに過ぎず、複数の濃度テーブルを組み合わせることで出力制御値を算出するというものであれば、この他の手法を用いることも当然に可能である。
【００７２】
また、本例においては、図５に示す濃度テーブルの透過率（デフォルト）は、０．５であるものとしたが、デフォルトの透過率は、その色を再現するインクの特性に応じた任意の値であって良い。また、例えば、デフォルトの透過率に「大／中／小」等の段階を設けて、これらの中から所望のものを選択できるように構成しても良い。
【００７３】
再びＳ０５からの説明に戻って、さらに、比較判定手段Ａは、その画像データが網点化処理を必要とするか否かを判断する（Ｓ０６）。ここで、その画像データが網点化処理を必要とした場合には（Ｓ０６、Ｙｅｓ）、網点化処理手段Ｅは、その画像データの網点化処理を行う（Ｓ０７）。また、その画像データが網点化処理を必要としなかった場合には（Ｓ０６、Ｎｏ）、網点化処理手段Ｅは、その画像データの網点化処理を行わない。さらに、出力装置制御手段Ｆは、その画像データに対応するカラーコレクション（出力制御値算出手段Ｄが作成したカラーコレクション）をカラーコレクション記憶手段Ｂから読み出して、その画像データに付加した上で（Ｓ１１）、これらを出力指示信号と共にＤＣＰ作成装置４Ａに送信する（Ｓ１２）。
【００７４】
制御装置３Ａから、カラーコレクションに関する情報が付加された画像データ及び出力指示信号の送信を受けたＤＣＰ作成装置４Ａは、その画像データを送信されたカラーコレクションに従って出力する。即ち、その画像データを送信されたカラーコレクションに従って、当該ＤＣＰ作成装置４ＡのＲ、Ｇ、Ｂの各色光源による露光量を制御して、基本色及び特色を用いて出力する。
【００７５】
以上に説明したように、本実施形態における画像出力システムでは、制御装置３Ａにおいて、予め、ＤＣＰ作成装置４Ａのカラーコレクション設定に関する情報が登録され、さらに、基本色の組み合わせ及び複数の任意の特色に対応した濃度テーブルが記憶されるので、画像データ編集端末１Ａ〜１Ｃ及びＲＩＰ２から送信された画像データが特色を含み、その特色が制御装置３Ａにおいて登録されたカラーコレクションに該当しないものであった場合にも、自動的に、その特色に対応したカラーコレクションが作成され、また、その特色が制御装置３Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、ＤＣＰ作成装置４Ａにおいて、そのカラーコレクションに従って、その特色に対応した画像データの出力処理が行われるので、操作者は、任意の特色を出力する場合であっても、その特色に対応するカラーコレクションの設定を行うことなく、任意の特色に対応した画像の出力を行うことができる。
【００７６】
尚、本実施形態における画像出力システムにおいては、画像データ編集端末１Ａ〜１Ｃ及びＲＩＰ２から送信された画像データが特色を含み、その特色が制御装置３Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、ＤＣＰ作成装置４Ａにおいて、そのカラーコレクションに従って、その特色に対応した画像データの出力処理が行われることとしたが、このような場合には、この他にも、例えば画像データ編集端末１Ａ〜１Ｃ及びＲＩＰ２から送信された画像データを出力する処理を中止することとしても良い。このように構成することで、制御装置３Ａの出力制御値算出手段Ｄは、濃度テーブル記憶手段Ｃに記憶されている複数の濃度テーブルを組み合わせることで、その特色に対応した濃度テーブルを作成する必要がなくなることから、これを簡略して構成することができ、これをもって、当該画像出力システムのコストを低減することができる。但し、このような場合であっても、画像データ編集端末１Ａ〜１Ｃ及びＲＩＰ２から送信された画像データが特色を含み、その特色が制御装置３Ａにおいて登録されたカラーコレクションに該当しないものであった場合には、自動的に、その特色に対応したカラーコレクションが作成され、ＤＣＰ作成装置４Ａにおいて、そのカラーコレクションに従って、その特色に対応した画像データの出力処理が行われることから、操作者は、当該画像出力システムの制御装置３Ａに記憶されている濃度テーブルの登録範囲内において、任意の特色を出力する場合であっても、その特色に対応するカラーコレクションの設定を行うことなく、任意の特色に対応した画像の出力を行うことができる。
【００７７】
また、本実施形態における画像出力システムにおいては、画像データ編集端末１Ａ〜１Ｃ及びＲＩＰ２から送信された画像データに含まれる特色の色情報が、その特色をＣ、Ｍ、Ｙ、Ｋの基本色に色分解した場合の各色の構成比率に関する情報を含み、制御装置に記憶される濃度テーブル（場合によっては、カラーコレクションも含む）も、これに対応するものとなっていたが、特色の色情報は、これに限定されるものではなく、例えば、色相・彩度・輝度の３軸から成る色空間座標系の座標値であるＬ＊ａ＊ｂ＊値に関する情報等であっても良い。即ち、このような場合には、制御装置３Ａにおいては、予め、図１２に示すような濃度テーブルが記憶されることとなる。
【００７８】
また、本実施形態における画像出力システムにおいては、画像データ編集端末１Ａ〜１Ｃ及びＲＩＰ２から送信された画像データに特色が含まれる場合には、その特色の名称に関する情報が付加され、これに対応して、制御装置３Ａに記憶される濃度テーブルには、任意の特色の名称に関する情報が含まれるものとしたが、例えば、画像データ編集端末１Ａ〜１Ｃ及びＲＩＰ２から送信された画像データに特色が含まれる場合であって、その特色の名称に関する情報が含まれず、その特色の色情報（その特色を基本色に色分解した場合の各色の構成比率等）のみであるような場合には、これに対応して、制御装置３Ａに記憶されるカラーコレクションや濃度テーブルには、その色の色情報（その色を基本色に色分解した場合の各色の構成比率等）が記憶されていれば、任意の特色の名称に関する情報が含まれる必要はない。因みに、このような場合には、比較判定手段Ａは、画像データ編集端末１Ａ〜１Ｃ及びＲＩＰ２から送信された画像データに付加された特色に関する色情報と、カラーコレクション記憶手段Ｂに登録されたカラーコレクションを構成する各パラメータの色情報、或いは、濃度テーブル記憶手段Ｃに記憶された濃度テーブルの特色に関する色情報とを比較することになる。
【００７９】
また、本実施形態における画像出力システムにおいては、濃度テーブル記憶手段Ｃに登録される濃度テーブルとして、図５に示す個々の特色に対応する濃度テーブルと、図６に示す基本色の組み合わせに対応する濃度テーブルを基本として挙げたが、この他にも、前述したように、例えば基本色と特色の組み合わせの一部を網羅するものとして、図１１に示す濃度テーブル（但し、”項番１”〜”項番１９”、”項番２４”のパラメータのみ）（本発明の第４のテーブル）や、例えば図１３に示す濃度テーブルにおいて、基本色の組み合わせが除かれたもの（本発明の第３のテーブル）等が登録されていても良い。これらは、必要に応じて、任意に組み合わされて、濃度テーブル記憶手段Ｃ（本発明の第３の記憶手段及び第４の記憶手段）に登録されても良い。
【００８０】
また、本実施形態における画像出力システムにおいては、制御装置３Ａに、カラーコレクションを記憶するカラーコレクション記憶手段Ｂと、基本色の組み合わせ及び任意の特色に対応した濃度テーブルを記憶する濃度テーブル記憶手段Ｃがそれぞれ設けられることとしたが、これらは１つの記憶手段として構成しても良い。また、濃度テーブル記憶手段Ｃに記憶される基本色の組み合わせに対応した濃度テーブルと、任意の特色に対応した濃度テーブルは、１つの濃度テーブルとして構成しても良い。
【００８１】
［第二の実施形態］
まず、本実施形態における画像出力システムの概略構成及び概略動作について説明する。尚、当該画像出力システムは、第一の実施形態における制御装置が画像出力装置に内蔵された構成を採るものであって、当該画像出力装置は、所謂、デジタルカラープルーフ作成装置（以下、ＤＣＰ作成装置と称する）から構成されるものである。
【００８２】
（画像出力システムの概略構成）
図１４に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを受信して、その画像データを直接、若しくは、所定の出力条件にて解析加工し、これを所定の出力条件にて出力するＤＣＰ作成装置５Ａを含み構成されている。尚、画像データ編集端末１Ａ〜１Ｃ及びＲＩＰ２と当該ＤＣＰ作成装置５Ａとは、ネットワークＮを介して互いに接続されている。また、画像データ編集端末１Ａ〜１ＣやＲＩＰ２は、任意の数が設けられて良い。
【００８３】
画像データ編集端末１Ａ〜１Ｃは、何れもコンピュータターミナル（端末装置）として動作するものであって、コンピュータ本体、キーボード、モニタ、イメージスキャナ等の必要な画像入力機器等を備えている。
【００８４】
（画像出力システムの概略動作）
このような構成において、画像データ編集端末１Ａ〜１Ｃ、又はＲＩＰ２から画像データが送信された場合には、ＤＣＰ作成装置５Ａは、これを受信して、その画像データの種別に応じて、その画像データを解析加工するか否かを決定する。ここで解析加工すると決定された場合には、所定の設定条件にて解析加工を行う。また、ＤＣＰ作成装置５Ａは、その画像データに特色が含まれるか否かを判断して、特色が含まれていた場合には、さらに、当該ＤＣＰ作成装置５Ａにおいて、それらの特色に対応するカラーコレクションの設定が成されているか否かを判断して、ここでカラーコレクションの設定が成されていた場合には、そのカラーコレクションに従って、当該ＤＣＰ作成装置５ＡのＲ、Ｇ、Ｂの各色光源に関する露光量の出力制御を行いつつ、基本色及び所定の特色を用いて、その画像データの出力を行う。また、それらの特色に対応するカラーコレクションの設定が成されていなかった場合には、まず、当該ＤＣＰ作成装置５Ａにおいて、その特色に対応する濃度テーブルの設定が成されているか否かを判断して、ここで濃度テーブルの設定が成されていた場合には、その濃度テーブルと、当該ＤＣＰ作成装置５Ａにおいて予め設定された基本色の組み合わせに対応する濃度テーブルとに基づいてカラーコレクションを作成して、そのカラーコレクションに従って画像データの出力処理を行う。また、濃度テーブルの設定が成されていなかった場合には、当該ＤＣＰ作成装置５Ａに設定されている濃度テーブルの複数を組み合わせることで、その特色に対応する濃度テーブルを作成して、さらに、その濃度テーブルと、当該ＤＣＰ作成装置５Ａにおいて予め設定された基本色の組み合わせに対応する濃度テーブルとに基づいてカラーコレクションを作成して、そのカラーコレクションに従って、当該ＤＣＰ作成装置４ＡのＲ、Ｇ、Ｂの各色光源に関する露光量の出力制御を行いつつ、基本色及び所定の特色を用いて、その画像データの出力を行う。尚、このことの詳細については、後述する。
【００８５】
ところで、此処に言う画像データの種別、所定の設定条件、カラーコレクション、及び濃度テーブルとは、第一の実施形態において説明した内容と同様であるため、ここでの記載は省略する。
【００８６】
次に、当該画像出力システムの詳細構成及び詳細動作について、その構成要素であるＤＣＰ作成装置５Ａを主として説明する。
【００８７】
（制御装置の詳細構成）
図１４に示すように、ＤＣＰ作成装置５Ａは、カラーコレクション（本発明の出力制御テーブル）を記憶するカラーコレクション記憶手段Ｂ（本発明の出力制御テーブル記憶手段）と、少なくとも基本色の組み合わせ及び任意の特色に対応した濃度テーブル（本発明の第１のテーブル及び第２のテーブル）を記憶する濃度テーブル記憶手段Ｃ（本発明の第１の記憶手段及び第２の記憶手段）と、画像データ編集端末１Ａ〜１Ｃ、又はＲＩＰ２から送信された画像データに特色が含まれるか否か、また、ここで特色が含まれていた場合には、その特色に対応したカラーコレクションがカラーコレクション記憶手段Ｂに記憶されているか否か、ここでその特色に対応したカラーコレクションがカラーコレクション記憶手段Ｂに記憶されていなかった場合には、さらに、その特色に対応した濃度テーブルが濃度テーブル記憶手段Ｃに記憶されているか否かを判断する比較判定手段Ａと、この比較判定手段Ａの判定結果において、その画像データに含まれる特色に対応したカラーコレクションがカラーコレクション記憶手段Ｂに記憶されていないと判断された場合に、また、その画像データに含まれる特色に対応した濃度テーブルが濃度テーブル記憶手段Ｃに記憶されていないと判断された場合に、特色に関する濃度テーブル及び基本色の組み合わせに関する濃度テーブルを用いて、或いは、濃度テーブル記憶手段Ｃに記憶された特色に関する濃度テーブルの複数のパラメータを組み合わせることによって、その特色に対応する出力制御値を算出し、その特色に対応する濃度テーブルを作成して、その濃度テーブルと濃度テーブル記憶手段Ｃに記憶された基本色の組み合わせに関する濃度テーブルとを用いて、その画像データに含まれる特色に対応したカラーコレクションを作成する出力制御値算出手段Ｄと、画像データ編集端末１Ａ〜１Ｃ及びＲＩＰ２から送信された画像データの種別を判断して、必要に応じて、その画像データの網点化処理を行う網点化処理手段Ｅと、カラーコレクション記憶手段Ｂに任意のカラーコレクションを登録するカラーコレクション登録手段Ｇと、その他、カラーコレクション記憶手段Ｂに記憶されたカラーコレクション、または、出力制御値算出手段Ｄによって新たに作成されたカラーコレクションに基づいて、その画像データの出力処理を行う出力制御手段Ｈと、を含み構成されている。
【００８８】
（画像出力システムの詳細動作）
このような構成において、操作者は、画像データの出力処理を行う事前準備として、必要に応じて（任意に）、ＤＣＰ作成装置５Ａのカラーコレクション登録手段Ｇによって、カラーコレクション記憶手段Ｂに記憶するカラーコレクションに関する情報の登録を行う。これは、カラーコレクション設定と称されるものであって、具体的には、第一の実施形態において説明した内容と同様である。従って、ここでの記載は省略する。
【００８９】
ところで、カラーコレクションは、通常、複数種類設定されるため、操作者は、カラーコレクション登録手段Ｇにおいて、このようなカラーコレクションを複数登録することとなる。尚、このようなカラーコレクションは、第一の実施形態において説明した内容と同様であるため、ここでの記載は省略する。
【００９０】
これらカラーコレクションに関する登録内容は、カラーコレクション記憶手段Ｂに記憶され、画像データ編集端末１Ａ〜１Ｃ及びＲＩＰ２から送信された画像データの種別に応じて、出力制御手段Ｈによって、適宜選択され、当該ＤＣＰ作成装置５Ａにおけるカラーコレクションの設定に反映されることになる。
【００９１】
（画像出力システムの詳細動作）
以下、図１５に示すフローチャートに基づいて、当該画像出力システムの画像出力処理について説明を続ける。
【００９２】
画像データ編集端末１Ａ〜１Ｃ及びＲＩＰ２から画像データが送信されると、ＤＣＰ作成装置５Ａは、これを受信して、比較判定手段Ａは、まず、その画像データに特色が含まれるか否かを判断する（Ｓ２１）。ここで、特色が含まれていた場合には（Ｓ２１、Ｙｅｓ）、さらに、その特色に対応したカラーコレクションがカラーコレクション記憶手段Ｂに記憶されているか否かを判断して（Ｓ２２）、ここで、その特色に対応したカラーコレクションがカラーコレクション記憶手段Ｂに記憶されていなかった場合には（Ｓ２２、Ｎｏ）、さらに、その特色に対応した濃度テーブルが濃度テーブル記憶手段Ｃに記憶されているか否かを判断する（Ｓ２３）。
【００９３】
ところで、Ｓ２１において、特色が含まれていなかった場合には（Ｓ２１、Ｎｏ）、比較判定手段Ａは、次に、その画像データが網点化処理を必要とするか否かを判断する（Ｓ２９）。ここで、その画像データが網点化処理を必要とした場合には（Ｓ２９、Ｙｅｓ）、網点化処理手段Ｅは、その画像データの網点化処理を行う（Ｓ３０）。また、その画像データが網点化処理を必要としなかった場合には（Ｓ２９、Ｎｏ）、網点化処理手段Ｅは、その画像データの網点化処理を行わない。さらに、出力制御手段Ｈは、その画像データに対応するカラーコレクション（基本色のみによって構成されるカラーコレクション）をカラーコレクション記憶手段Ｂから読み出して、そのカラーコレクションに従って、当該ＤＣＰ作成装置５ＡのＲ、Ｇ、Ｂの各色光源による露光量を制御して、基本色及び特色を用いて出力する（Ｓ３１）。
【００９４】
また、Ｓ２２において、その特色に対応したカラーコレクションがカラーコレクション記憶手段Ｂに記憶されていた場合には（Ｓ２２、Ｙｅｓ）、Ｓ２９へ移行する。
【００９５】
Ｓ２３の説明に戻って、ここで、その特色に対応した濃度テーブルが濃度テーブル記憶手段Ｃに記憶されていた場合には（Ｓ２３、Ｙｅｓ）、出力制御値算出手段Ｄは、その特色に関する濃度テーブルを用いて、その特色に対応する出力制御値を算出して、さらに、その出力制御値と濃度テーブル記憶手段Ｃに記憶されている基本色の組み合わせに関する濃度テーブルを用いて、その特色に対応するカラーコレクションを作成する（Ｓ２５）。
【００９６】
尚、このＳ２５において、出力制御値算出手段Ｄが、濃度テーブル記憶手段Ｃに記憶されていた濃度テーブルを用いて、その特色に対応するカラーコレクションを作成する工程は、第一の実施形態において説明した内容と同様であるため、ここでの記載は省略する。
【００９７】
再びＳ２３の説明に戻って、また、その特色に対応した濃度テーブルが濃度テーブル記憶手段Ｃに記憶されていなかった場合には（Ｓ２３、Ｎｏ）、出力制御値算出手段Ｄは、濃度テーブル記憶手段Ｃに記憶されている特色に関する濃度テーブルの複数のパラメータを用いて、まず、その特色に対応する出力制御値を算出し、その特色に対応する濃度テーブルを作成して（Ｓ２４）、次に、その濃度テーブルと濃度テーブル記憶手段Ｃに記憶されている特色の組み合わせに関する濃度テーブルを用いて、その特色に対応するカラーコレクションを作成する。尚、出力制御値算出手段Ｄが作成したカラーコレクションは、カラーコレクション記憶手段Ｂに記憶される（Ｓ２５）。
【００９８】
尚、このＳ２４〜Ｓ２５において、出力制御値算出手段Ｄが、濃度テーブル記憶手段Ｃに記憶されている特色に関する濃度テーブルの複数のパラメータを用いて、その特色に対応する濃度テーブルを作成して、さらに、その濃度テーブルと濃度テーブル記憶手段Ｃに記憶されている基本色の組み合わせに関する濃度テーブルを用いてカラーコレクションを作成する工程は、第一の実施形態において説明した内容と同様であるため、ここでの記載は省略する。
【００９９】
再びＳ２５からの説明に戻って、さらに、比較判定手段Ａは、その画像データが網点化処理を必要とするか否かを判断する（Ｓ２６）。ここで、その画像データが網点化処理を必要とした場合には（Ｓ２６、Ｙｅｓ）、網点化処理手段Ｅは、その画像データの網点化処理を行う（Ｓ２７）。また、その画像データが網点化処理を必要としなかった場合には（Ｓ２６、Ｎｏ）、網点化処理手段Ｅは、その画像データの網点化処理を行わない。さらに、出力制御手段Ｈは、その画像データに対応するカラーコレクション（出力制御値算出手段Ｄが作成したカラーコレクション）をカラーコレクション記憶手段Ｂから読み出して、そのカラーコレクションに従って、当該ＤＣＰ作成装置５ＡのＲ、Ｇ、Ｂの各色光源による露光量を制御して、基本色及び特色を用いて出力する（Ｓ２８）。
【０１００】
以上に説明したように、本実施形態における画像出力システムでは、ＤＣＰ作成装置５Ａにおいて、予め、カラーコレクション設定に関する情報が登録され、さらに、基本色の組み合わせ及び複数の任意の特色に対応した濃度テーブルが記憶されるので、画像データ編集端末１Ａ〜１Ｃ及びＲＩＰ２から送信された画像データが特色を含み、その特色がＤＣＰ作成装置５Ａにおいて登録されたカラーコレクションに該当しないものであった場合にも、自動的に、その特色に対応したカラーコレクションが作成され、また、その特色がＤＣＰ作成装置５Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、そのカラーコレクションに従って、その特色に対応した画像データの出力処理が行われるので、操作者は、任意の特色を出力する場合であっても、その特色に対応するカラーコレクションの設定を行うことなく、任意の特色に対応した画像の出力を行うことができる。
【０１０１】
尚、本実施形態における画像出力システムにおいては、画像データ編集端末１Ａ〜１Ｃ及びＲＩＰ２から送信された画像データが特色を含み、その特色がＤＣＰ作成装置５Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、ＤＣＰ作成装置５Ａにおいて、そのカラーコレクションに従って、その特色に対応した画像データの出力処理が行われることとしたが、このような場合には、この他にも、例えば画像データ編集端末１Ａ〜１Ｃ及びＲＩＰ２から送信された画像データを出力する処理を中止することとしても良い。このように構成することで、ＤＣＰ作成装置５Ａの出力制御値算出手段Ｄは、濃度テーブル記憶手段Ｃに記憶されている複数の濃度テーブルを組み合わせることで、その特色に対応した濃度テーブルを作成する必要がなくなることから、これを簡略して構成することができ、これをもって、当該画像出力システムのコストを低減することができる。但し、このような場合であっても、画像データ編集端末１Ａ〜１Ｃ及びＲＩＰ２から送信された画像データが特色を含み、その特色がＤＣＰ作成装置５Ａにおいて登録されたカラーコレクションに該当しないものであった場合には、自動的に、その特色に対応したカラーコレクションが作成され、ＤＣＰ作成装置５Ａにおいて、そのカラーコレクションに従って、その特色に対応した画像データの出力処理が行われることから、操作者は、当該画像出力システムのＤＣＰ作成装置５Ａに記憶されている濃度テーブルの登録範囲内において、任意の特色を出力する場合であっても、その特色に対応するカラーコレクションの設定を行うことなく、任意の特色に対応した画像の出力を行うことができる。
【０１０２】
また、本実施形態における画像出力システムにおいては、画像データ編集端末１Ａ〜１Ｃ及びＲＩＰ２から送信された画像データに含まれる特色の色情報が、その特色をＣ、Ｍ、Ｙ、Ｋの基本色に色分解した場合の各色の構成比率に関する情報を含み、制御装置に記憶される濃度テーブル（場合によっては、カラーコレクションも含む）も、これに対応するものとなっていたが、特色の色情報は、これに限定されるものではなく、例えば、色相・彩度・輝度の３軸から成る色空間座標系の座標値であるＬ＊ａ＊ｂ＊値に関する情報等であっても良い。即ち、このような場合には、当該ＤＣＰ作成装置５Ａにおいては、予め、図１２に示すような濃度テーブルが記憶されることとなる。
【０１０３】
また、本実施形態における画像出力システムにおいては、画像データ編集端末１Ａ〜１Ｃ及びＲＩＰ２から送信された画像データに特色が含まれる場合には、その特色の名称に関する情報が付加され、これに対応して、当該ＤＣＰ作成装置５Ａに記憶される濃度テーブルには、任意の特色の名称に関する情報が含まれるものとしたが、例えば、画像データ編集端末１Ａ〜１Ｃ及びＲＩＰ２から送信された画像データに特色が含まれる場合であって、その特色の名称に関する情報が含まれず、その特色の色情報（その特色を基本色に色分解した場合の各色の構成比率等）のみであるような場合には、これに対応して、当該ＤＣＰ作成装置５Ａに記憶されるカラーコレクションや濃度テーブルには、その色の色情報（その色を基本色に色分解した場合の各色の構成比率等）が記憶されていれば、任意の特色の名称に関する情報が含まれる必要はない。因みに、このような場合には、比較判定手段Ａは、画像データ編集端末１Ａ〜１Ｃ及びＲＩＰ２から送信された画像データに付加された特色に関する色情報と、カラーコレクション記憶手段Ｂに登録されたカラーコレクションを構成する各パラメータの色情報、或いは、濃度テーブル記憶手段Ｃに記憶された濃度テーブルの特色に関する色情報とを比較することになる。
【０１０４】
また、本実施形態における画像出力システムにおいては、濃度テーブル記憶手段Ｃに登録される濃度テーブルとして、図５に示す個々の特色に対応する濃度テーブルと、図６に示す基本色の組み合わせに対応する濃度テーブルを基本として挙げたが、この他にも、前述したように、例えば基本色と特色の組み合わせの一部を網羅するものとして、図１１に示す濃度テーブル（但し、”項番１”〜”項番１９”、”項番２４”のパラメータのみ）（本発明の第４のテーブル）や、例えば図１３に示す濃度テーブルにおいて、基本色の組み合わせが除かれたもの（本発明の第３のテーブル）等が登録されていても良い。これらは、必要に応じて、任意に組み合わされて、濃度テーブル記憶手段Ｃ（本発明の第３の記憶手段及び第４の記憶手段）に登録されても良い。
【０１０５】
また、本実施形態における画像出力システムにおいては、ＤＣＰ作成装置５Ａに、カラーコレクションを記憶するカラーコレクション記憶手段Ｂと、基本色の組み合わせ及び任意の特色に対応した濃度テーブルを記憶する濃度テーブル記憶手段Ｃがそれぞれ設けられることとしたが、これらは１つの記憶手段として構成しても良い。また、濃度テーブル記憶手段Ｃに記憶される基本色の組み合わせに対応した濃度テーブルと、任意の特色に対応した濃度テーブルは、１つの濃度テーブルとして構成しても良い。
【０１０６】
【発明の効果】
以上に説明したように、本発明に係る画像出力システムによれば、画像出力装置の出力制御を行う制御装置において、或いは、この制御装置を内蔵する画像出力装置において、予め、所定のカラーコレクションが登録され、さらに、画像データに用いられる基本色の組み合わせ及び複数の任意の特色に関する色情報とその基本色の組み合わせ及び任意の特色を画像出力装置において出力するための出力制御値とを関連付けた濃度テーブルが記憶されて、外部装置から送信された画像データに、そのカラーコレクションに設定されていない特色が含まれていた場合であっても、予め記憶された濃度テーブルと基本色の組み合わせに関する濃度テーブルとを用いて、その特色に対応したカラーコレクションが作成されて、また、外部装置から送信された画像データに、そのカラーコレクション及び濃度テーブルに設定されていない特色が含まれていた場合であっても、予め記憶された特色に関する濃度テーブルの複数のパラメータを用いて、その特色に対応した濃度テーブルが作成され、さらに、その濃度テーブルと基本色の組み合わせに関する濃度テーブルとを用いて、その特色に対応したカラーコレクションが作成されて、これらのカラーコレクションに基づいて画像データの出力処理が行われるので、操作者は、任意の特色を出力する場合であっても、その特色に対応するカラーコレクションの設定を行うことなく、任意の特色に対応した画像の出力を行うことができる。
【図面の簡単な説明】
【図１】本発明に係る画像出力システムの一実施形態における全体構成を表すシステム構成図である。
【図２】図１に示す制御装置において登録されるカラーコレクションの設定内容を表す図である。
【図３】図１に示す制御装置において複数のカラーコレクションが登録される場合の設定内容を表す図である。
【図４】図１に示す制御装置において成される画像データの出力処理の流れについて説明するフローチャートである。
【図５】図１に示す制御装置において記憶される特色の濃度テーブルの設定内容を表す図である。
【図６】図１に示す制御装置において記憶される基本色の組み合わせに対応した濃度テーブルの設定内容を表す図である。
【図７】図１に示す制御装置において作成されたカラーコレクションの設定内容を表す図である。
【図８】図１に示す制御装置において作成されたカラーコレクションの設定内容を表す図である。
【図９】図１に示す制御装置において作成された濃度テーブルの詳細な設定内容を表す図である。
【図１０】図１に示す制御装置において登録されるカラーコレクションの詳細な設定内容を表す図である。
【図１１】図１に示す制御装置において登録されるカラーコレクションの他例を表す図である。
【図１２】図９に示す濃度テーブルの他例を表す図である。
【図１３】図１に示す制御装置において登録されるカラーコレクションの他例を表す図である。
【図１４】本発明に係る画像出力システムの一実施形態における全体構成を表すシステム構成図である。
【図１５】図１４に示す画像出力装置における画像データの出力処理の流れについて説明するフローチャートである。
【符号の説明】
１Ａ〜１Ｃ  画像データ編集端末
２  ＲＩＰ
３Ａ  制御装置
Ａ  比較判定手段
Ｂ  カラーコレクション記憶手段
Ｃ  濃度テーブル記憶手段
Ｄ  出力制御値算出手段
Ｅ  網点化処理手段
Ｆ  出力装置制御手段
Ｇ  カラーコレクション登録手段
４Ａ  ＤＣＰ作成装置
Ｎ  ネットワーク
【図１】
2004173188.tif 000003
【図２】
2004173188.tif 000004
【図３】
2004173188.tif 000005
【図４】
2004173188.tif 000006
【図５】
2004173188.tif 000007
【図６】
2004173188.tif 000008
【図７】
2004173188.tif 000009
【図８】
2004173188.tif 000010
【図９】
2004173188.tif 000011
【図１０】
2004173188.tif 000012
【図１１】
2004173188.tif 000013
【図１２】
2004173188.tif 000014
【図１３】
2004173188.tif 000015
【図１４】
2004173188.tif 000016
【図１５】
2004173188.tif 000017